(57)【要約】      （修正有）【課題】所定の載置位置から位置ずれを抑制することができる離床センサを提供する。【解決手段】敷布と寝床との間に載置され、被験者Ｈの離床状況を検知する離床センサであって、前記離床センサの下面１２の静摩擦係数が、前記離床センサの上面１１の静摩擦係数の２〜３０倍に設定されている。離床センサの下面の静摩擦係数が、前記離床センサの上面の静摩擦係数の２〜３０倍としたため、上面は敷布に対して滑りやすく、下面は寝床に対して滑りにくくなることにより、所定の載置位置から位置ずれを抑制することができる。【選択図】図３
2010264009.tif 000002
【特許請求の範囲】
【請求項１】
敷布と寝床との間に載置され、被験者の離床状況を検知する離床センサであって、
前記離床センサの下面の静摩擦係数が、前記離床センサの上面の静摩擦係数の２〜３０倍であること、を特徴とする離床センサ。
【請求項２】
前記離床センサの上面の静摩擦係数は、０．１〜０．４であり、前記離床センサの下面の静摩擦係数は、０．９〜３．０であること、を特徴とする請求項１に記載の離床センサ。
【請求項３】
前記離床センサの上面及び下面には、凸部が形成され、
前記下面の凸部が寝床と接触している面積は、前記上面の凸部が敷布と接触している面積よりも、大きく設定されていること、を特徴とする請求項１又は２に記載の離床センサ。
【請求項４】
前記離床センサの下面の少なくとも一部には、静摩擦係数の高い材料が取り付けられていること、を特徴とする請求項１〜３のいずれかに記載の離床センサ。
【請求項５】
前記離床センサの上面及び下面は、ポリエーテル系ポリウレタン樹脂、アクリル系樹脂、ポリエステル系ポリウレタン樹脂からなる群から選択される少なくとも１種を含む樹脂であること、を特徴とする請求項１〜４のいずれかに記載の離床センサ。
【発明の詳細な説明】
【技術分野】
【０００１】
本発明は、医療機関、介護施設、一般家庭等において、シーツとマットレス又は布団等の間に載置して使用され、病人、高齢者、乳幼児等の被験者がベッドから離床や着床する動作を検知する際に用いられる離床センサに関するものである。
【背景技術】
【０００２】
ベッド、車いすから離床、離席したことを検知する方法として、被験者の動作に伴う荷重の増減と空気圧の作用によって被験者の動作（離床状況）を検知する離床センサが知られている。
【先行技術文献】
【特許文献】
【０００３】
【特許文献１】特開２００５−１５２６１６号公報
【発明の概要】
【発明が解決しようとする課題】
【０００４】
しかしながら、このような離床センサは、シーツと、マットレス又は布団の間に設置して使用されるため、被験者が寝返り等をすると、ベッドに敷かれたシーツがずれてしまい、そのシーツにつられて離床センサも所定の載置位置からずれてしまう問題があった。
【０００５】
また、離床センサは、所定の載置位置からずれた位置にあると、被験者の離床状況を正確に検知することができず、誤った離床状況を検知する、という問題があった。
【０００６】
本発明は、上述した事情に鑑みてなされたもので、その目的は、所定の載置位置から位置ずれを抑制することができる離床センサを提供することにある。
【課題を解決するための手段】
【０００７】
本発明は以下の手段を提供する。
【０００８】
［１］敷布と寝床との間に載置され、被験者の離床状況を検知する離床センサであって、前記離床センサの下面の静摩擦係数が、前記離床センサの上面の静摩擦係数の２〜３０倍であること、を特徴とする離床センサ。
【０００９】
［２］前記離床センサの上面の静摩擦係数は、０．１〜０．４であり、前記離床センサの下面の静摩擦係数は、０．９〜３．０であること、を特徴とする前項１に記載の離床センサ。
【００１０】
［３］前記離床センサの上面及び下面には、凸部が形成され、前記下面の凸部が寝床と接触している面積は、前記上面の凸部が敷布と接触している面積よりも、大きく設定されていること、を特徴とする前項１又は２に記載の離床センサ。
【００１１】
［４］前記離床センサの下面の少なくとも一部には、静摩擦係数の高い材料が取り付けられていること、を特徴とする前項１〜３のいずれかに記載の離床センサ。
【００１２】
［５］前記離床センサの上面及び下面は、ポリエーテル系ポリウレタン樹脂、アクリル系樹脂、ポリエステル系ポリウレタン樹脂からなる群から選択される少なくとも１種を含む樹脂であること、を特徴とする前項１〜４のいずれかに記載の離床センサ。
【発明の効果】
【００１３】
本発明は以下の効果を奏する。
【００１４】
前項［１］の発明によると、敷布と寝床との間に載置され、被験者の離床状況を検知する離床センサであって、前記離床センサの下面の静摩擦係数が、前記離床センサの上面の静摩擦係数の２〜３０倍としたため、上面は敷布に対して滑りやすく、下面は寝床に対して滑りにくくなることにより、所定の載置位置から位置ずれを抑制することができる。
【００１５】
前項［２］の発明によると、前記離床センサの上面の静摩擦係数は、０．１〜０．４であり、前記離床センサの下面の静摩擦係数は、０．９〜３．０としたため、上面は敷布に対して滑りやすく、下面は寝床に対して滑りにくくなることにより、所定の載置位置から位置ずれを確実に抑制することができる。
【００１６】
前項［３］の発明によると、前記離床センサの上面及び下面には、凸部が形成され、前記下面の凸部が寝床と接触している面積は、前記上面の凸部が敷布と接触している面積よりも、大きく設定されているとしたため、上面は敷布に対して滑りやすく、下面は寝床に対して滑りにくくなることにより、所定の載置位置から位置ずれを容易に抑制することができる。
【００１７】
前項［４］の発明によると、離床センサの下面の少なくとも一部には静摩擦係数の高い材料が取り付けられているとしたため、上面は敷布に対して滑りやすく、下面は寝床に対して滑りにくくなることにより、所定の載置位置から位置ずれを容易に抑制することができる。
【００１８】
前項［５］の発明によると、前記離床センサの上面及び下面は、ポリエーテル系ポリウレタン樹脂、アクリル系樹脂、ポリエステル系ポリウレタン樹脂からなる群から選択される少なくとも１種を含む樹脂としたため、これにより、伸縮性があり摩擦に強く、かつ、静摩擦係数を変更することができる。
【図面の簡単な説明】
【００１９】
【図１】図１は、本発明の第１実施形態にかかる離床センサの概略図である。
【図２】図２は、離床センサの断面図である。
【図３】図３は、離床センサの上面体と下面体の拡大図で、（Ａ）は上面体、（Ｂ）は下面体、を説明するものである。
【図４】図４は、離床センサの支持体の拡大図である。
【図５】図５は、動作を説明するための離床センサの断面図である。
【図６】図６は、本発明の第２実施形態にかかる離床センサの上面体と下面体の拡大図で、（Ａ）は上面体、（Ｂ）は下面体を説明するものである。
【図７】図７は、動作を説明するための離床センサの断面図である。
【図８】図８は、本発明の変形実施形態にかかる離床センサの下面体の拡大図で、（Ａ）は長さ方向にストライプ状貼着、（Ｂ）は幅方向両端貼着、（Ｃ）は幅方向ストライプ状貼着、（Ｄ）は周縁貼着についての図である。
【発明を実施するための形態】
【００２０】
次に、本発明の第１実施形態について図１〜図５を参照して以下に説明する。
図１は、本発明の第１実施形態にかかる離床センサの概略図である。
【００２１】
図１に示すように、本発明の離床センサ１は、ベッド４の上に載置された寝床３と、その寝床３の上に敷かれる敷布２との間に載置する。離床センサ１を載置してあるベッド４上の寝床３に被験者Ｈが着床した状態において、離床センサ１は、寝返り等の状況や、起き上がり状況、すなわち、離床状況や着床状況を検出するものである。寝床３は、マットレスである。敷布２は、シーツである。
【００２２】
次に第１実施形態にかかる離床センサ１について説明する。
【００２３】
図２は、離床センサの断面図である。図３は、離床センサの上面体と下面体の拡大図で、（Ａ）は上面体、（Ｂ）は下面体、を説明するものである。図４は、離床センサの支持体の拡大図である。図５は、動作を説明するための離床センサの断面図である。
【００２４】
図２に示すように、離床センサ１は、上面体１１と、下面体１２と、導電体１３，１３と、ケーブル１３ａと、支持体１４と、から構成されている。
【００２５】
支持体１４は、上下２枚の導電体１３，１３で挟み固定され、その導電体１３，１３は、上面体１１と下面体１２とで挟み固定され、上面体１１の両端と、下面体１２の両端とを接着して構成されている。離床センサ１は、５層構造からなる。この離床センサ１は、横１００ｍｍ、縦６００ｍｍ、高さ２ｍｍの板状に形成されている。
【００２６】
図２、図４に示すように、支持体１４は、一定の間隔で四角形状の開口部１４ａが形成されている。この支持体１４は、絶縁物からなる。
【００２７】
導電体１３の一端には、ケーブル１３ａが接続されている。このケーブル１３ａの他方は、ナースセンター、監視室等に置かれたコンピュータ（図示せず）に接続されている。
【００２８】
図３に示すように、離床センサ１の上面体１１の上面には、複数の凸部１１ａ・・・が形成されている。離床センサ１の下面体１２の下面には、複数の凸部１２ａ・・・が形成されている。これら凸部１１ａ，１２ａは、半球状に形成されている。この半球状は、エンボス加工によって形成されている。
【００２９】
上面体１１の凸部１１ａは、直径１０ｍｍ、高さ１．０ｍｍに設定されている。上面体１１の凸部１１ａと隣り合う凸部１１ａとの間隔は、７５ｍｍに設定されている。下面体１２の凸部１２ａは、直径２ｍｍ、高さ０．２ｍｍに設定されている。下面体１２の凸部１２ａと隣り合う凸部１２ａとの間隔は、４ｍｍに設定されている。
【００３０】
上面体１１の上面が敷布２に接触している面積は、５％に設定されている。下面体１２の下面が寝床３に接触している面積は、２０％に設定されている。上面体１１の上面の接触している面積と下面体１２の下面の接触している面積との差は、４倍に設定されている。
【００３１】
上面体１１及び下面体１２の素材は、ポリエーテル系ポリウレタン樹脂で形成されている。
【００３２】
静摩擦係数の測定方法は、ＪＩＳ  Ｋ７１２５（プラスチック―フィルム及びシート―摩擦係数試験方法）に基づく試験方法で測定する。この方法により測定した静摩擦係数について、上面体１１の上面の静摩擦係数は、０．２であり、下面体１２の下面の静摩擦係数は、１．５である。上面体１１の上面と下面体１２の下面との静摩擦係数の差は、７．５倍に設定されている。
【００３３】
次に、この離床センサ１の動作について説明する。図５に示すように、載置された離床センサ１の上面体１１の上面に、被験者Ｈが着床や離床することによって生じる荷重がかかると、この荷重によって、支持体１４の開口部１４ａを通して導電体１３と導電体１３が接触し、導電する。導電状態であると離床センサ１はオン状態となる。荷重が掛からずに導電状態でないと離床センサ１はオフ状態となる。この導電の有無は、ケーブル１３ａを伝って、ナースセンター（図示せず）に設置してあるコンピュータ（図示せず）に送信され、被験者Ｈの着床や離床の有無が検知される。
【００３４】
本実施形態の離床センサ１は、次の利点がある。
【００３５】
すなわち、離床センサ１は、上面体１１と、下面体１２と、導電体１３，１３と、ケーブル１３ａと、支持体１４と、から構成されており、支持体１４は、上下２枚の導電体１３，１３で挟み固定され、その導電体１３，１３は、上面体１１と下面体１２とで挟み固定され、上面体１１の両端と、下面体１２の両端とを接着して構成され、離床センサ１は、５層構造からなり、この離床センサ１は、横１００ｍｍ、縦６００ｍｍ、高さ２ｍｍの板状に形成されているとしたため、離床センサ１を小型化できることにより、被験者Ｈが離床センサ１を載置した寝床３上に着床した際の煩わしさを緩和することができる。さらに、運搬、載置作業を容易にすることができる。
【００３６】
さらに、支持体１４は絶縁物からなり、一定の間隔で四角形状の開口部１４ａを形成されているとしたため、これにより、容易に導電させることができる。
【００３７】
さらに、エンボス加工によって、上面体１１には複数の半球状の凸部１１ａ・・・が形成され、下面体１２には複数の半球状の凸部１２ａ・・・が形成されているとしたため、半球状の凸部を安価で形成できることにより、離床センサ１の製造コストを下げることができる。
【００３８】
さらに、上面体１１の凸部１１ａは、直径１０ｍｍ、高さ１．０ｍｍの半球状に形成されているとしたため、凸部１１ａと敷布２との接触している面積を小さくすることにより、静摩擦係数を容易に低くすることができる。
【００３９】
さらに、下面体１２の凸部１２ａは、直径２ｍｍ、高さ０．２ｍｍの半球状に形成されているとしたため、凸部１２ａと寝床３との接触している面積を大きくすることにより、静摩係数を容易に高くすることができる。
【００４０】
さらに、上面体１１の上面が敷布２に接触している面積は、５％に設定され、下面体１２の下面が寝床３に接触している面積は、２０％に設定され、その面積の差は、４倍に設定されているとしたため、上面体１１の上面は敷布２に対して滑りやすく、下面体１２の下面は寝床３に対して滑りにくくなることにより、所定の載置位置から位置ずれを確実に抑制することができる。
【００４１】
さらに、上面体１１及び下面体１２の素材は、ポリエーテル系ポリウレタン樹脂で形成されているとしたため、安価で入手することができることにより、離床センサ１の製造コストを下げることができる。
【００４２】
次に、本発明の第２実施形態について図６、図７を参照して以下に説明する。
【００４３】
図６は、本発明の第２実施形態にかかる離床センサの上面体と下面体の拡大図で、（Ａ）は上面体、（Ｂ）は下面体を説明するものである。図７は、動作を説明するための離床センサの断面図である。
【００４４】
図６、７に示すように、この第２実施形態にかかる離床センサ５の上面体５１の上面と下面体５２の下面は、エンボス加工を施していない平坦面に形成されている。このうち下面体５２の下面には、静摩擦係数の高い材料５２ａが、離床センサ５の長さ方向両端部にそれぞれ貼着されている。この静摩擦係数の高い材料５２ａは、エラストマーである。
【００４５】
本第２実施形態の離床センサは、次の利点がある。
【００４６】
すなわち、この第２実施形態にかかる離床センサ５の上面体５１の上面と下面体５２の下面は、エンボス加工を施していない平坦面に形成され、このうち下面体５２の下面には、静摩擦係数の高い材料５２ａを、離床センサ５の長さ方向両端部にそれぞれ貼着されているとしたため、上面体５１の上面は敷布２に対して滑りやすく、下面体５２の下面は寝床３に対して滑りにくくなることにより、所定の載置位置から位置ずれを容易に抑制することができる。
【００４７】
さらに、この静摩擦係数の高い材料５２ａはエラストマーとしたため、安価で入手することができることにより、離床センサ５の製造コストを下げることができる。
【００４８】
以上、本発明を第１，２実施形態に基づいて説明してきたが、本発明は、これに限定されるものではなく、以下のように構成してもよい。
【００４９】
（１）上記第１実施形態では、本発明の離床センサ１は、ベッド４の上に載置されたマットレスである寝床３と、その寝床３の上に敷かれるシーツである敷布２との間に載置されているとしたが、本発明はこれに限定されるものではなく、寝床は、離床センサ１を載置できるものであれば良く、必ずしもマットレスでなくとも良く、例えば布団等の上に離床センサ１を載置しても良い。また、敷布は離床センサ１の上から覆い被さる布状のもの、例えば毛布、タオルケット等であれば良く、必ずしもいわゆるシーツでなくとも良い。
【００５０】
（２）上記第１実施形態では、離床センサ１は、上面体１１と、下面体１２と、導電体１３，１３と、ケーブル１３ａと、支持体１４と、から構成されており、支持体１４は、上下２枚の導電体１３，１３で挟み固定され、その導電体１３，１３は、上面体１１と下面体１２とで挟み固定されていることにより、離床センサ１は、５層構造からなるとしたが、本発明はこれに限定されるものではなく、必ずしも５層構造である必要はない。
【００５１】
（３）上記第１実施形態では、この離床センサ１は、横１００ｍｍ、縦６００ｍｍ、高さ２ｍｍの板状に形成されているとしたが、本発明はこれに限定されるものではなく、例えば横５０〜５００ｍｍ、縦３００〜１２００ｍｍ、高さ１．５〜３ｍｍに設定しても良い。また、この離床センサ１は、必ずしも板状でなくとも良い。
【００５２】
（４）上記第１実施形態では、この支持体１４は、一定の間隔で四角形状の開口部１４ａが形成されているとしたが、本発明はこれに限定されるものではなく、荷重がかかると、その荷重によって支持体１４の開口部１４ａを通して導電体１３と導電体１３が接触する形状であれば、必ずしも四角形状にしなくとも良い。
【００５３】
（５）上記第１実施形態では、導電体１３の一端には、ケーブル１３ａが接続されている。このケーブル１３ａの他方は、ナースセンター、監視室等に置かれたコンピュータ（図示せず）に接続されているとしたが、本発明はこれに限定されるものではなく、被験者Ｈの離床状況等を電話回線網、インターネット、有線ＬＡＮ、無線ＬＡＮ等の無線回線網又はその他の有線回線網を用いて、ナースセンター、監視室等に置かれたコンピュータ等に接続されていても良い。
【００５４】
（６）上記第１実施形態では、凸部１１ａ，１２ａは、半球状に形成されているとしたが、本発明はこれに限定されるものではなく、必ずしも半球状に形成されているとしなくとも良い。
【００５５】
（７）上記第１実施形態では、この凸部１１ａ，１２ａは、エンボス加工によって形成されているとしたが、本発明はこれに限定されるものではなく、エンボス加工以外の方法で形成されているとしても良い。
【００５６】
（８）上記第１実施形態では、上面体１１の凸部１１ａは、直径１０ｍｍ、高さ１．０ｍｍに設定され、上面体１１の凸部１１ａと隣り合う凸部１１ａの間隔は、７５ｍｍに設定されているとしたが、本発明はこれに限定されるものではなく、例えば、直径５〜２０ｍｍ、高さ０．５〜２ｍｍに設定され、下面体の凸部と隣り合う凸部の間隔は、５０〜１００ｍｍに設定されているとしても良い。
【００５７】
（９）上記第１実施形態では、下面体１２の凸部１２ａは、直径２ｍｍ、高さ０．２ｍｍに設定され、下面体１２の凸部１２ａと隣り合う凸部１２ａの間隔は、４ｍｍに設定されているとしたが、本発明はこれに限定されるものではなく、例えば、直径１〜５ｍｍ、高さ０．１〜１．０ｍｍで形成され、下面体の凸部と隣り合う凸部の間隔は、２〜１０ｍｍに設定されているとしても良い。
【００５８】
（１０）上記第１実施形態では、上面体１１の上面が敷布２に接触している面積は、５％に設定され、下面体１２の下面が寝床３に接触している面積は、２０％に設定され、上面体１１の上面の接触している面積と下面体１２の下面の接触している面積との差は、４倍に設定されているとしたが、本発明はこれに限定されるものではなく、上面体１１の上面が敷布２に接触している面積より、下面体１２の下面が寝床３に接触している面積のほうが、高くなるように設定すれば良い。
【００５９】
（１１）上記第１実施形態では、上面体１１及び下面体１２の素材は、ポリエーテル系ポリウレタン樹脂で形成されているとしたが、本発明はこれに限定されるものではなく、例えば、アクリル系樹脂、ポリエステル系ポリウレタン樹脂等を用いても良い。
【００６０】
（１２）上記第２実施形態では、静摩擦係数の高い材料は、離床センサ４の長さ方向両端部にそれぞれ貼着されているとしたが、図８−Ａに示すように離床センサの長さ方向にストライプ状６２ａ貼着されていても良く、図８−Ｂに示すように離床センサの幅方向両端７２ａにそれぞれ貼着されていても良く、図８−Ｃに示すように離床センサの幅方向ストライプ状８２ａに貼着されていても良く、図８−Ｄに示すように離床センサ４の周縁９２ａに貼着されていても良い。
【００６１】
（１３）上記第２実施形態では、静摩擦係数の高い材料はエラストマーとしたが、本発明はこれに限定されるものではなく、例えば、面ファスナーや、テープ等を用いても良い。
【符号の説明】
【００６２】
Ｈ      被験者
１      離床センサ
１１    上面体
１１ａ  凸部
１２    下面体
１２ａ  凸部
２      敷布
３      寝床
【図１】
2010264009.tif 000003
【図２】
2010264009.tif 000004
【図３】
2010264009.tif 000005
【図４】
2010264009.tif 000006
【図５】
2010264009.tif 000007
【図６】
2010264009.tif 000008
【図７】
2010264009.tif 000009
【図８】
2010264009.tif 000010